【手続補正書】
【提出日】平成28年5月27日(2016.5.27)
【手続補正１】
【補正対象書類名】明細書
【補正対象項目名】発明の名称
【補正方法】変更
【補正の内容】
【発明の名称】装置、プリント基板及び画像形成装置
【手続補正２】
【補正対象書類名】明細書
【補正対象項目名】０００１
【補正方法】変更
【補正の内容】
【０００１】
本発明は、装置、プリント基板及びプリント基板を備えた画像形成装置に関する。
【手続補正３】
【補正対象書類名】明細書
【補正対象項目名】０００９
【補正方法】変更
【補正の内容】
【０００９】
（１）開口が設けられたプリント基板が取り付けられた装置において、前記開口を跨いで設けられ、且つ、前記プリント基板に接続された第一導電部材と、前記プリント基板を前記装置に固定する固定部材と、前記装置に一端側が接続されており、他端側が前記第一導電部材と接触する第二導電部材と、を備え、前記固定部材によって前記プリント基板が前記装置に固定された状態で、前記第一導電部材と前記第二導電部材が接触し、且つ、前記第二導電部材の前記他端側の一部は前記開口を貫通し、且つ、前記第一導電部材と前記第二導電部材の接触位置を超えて延びていることを特徴とする装置。
（２）装置に取り付けられるプリント基板であって、前記プリント基板の端部に設けられた開口と、前記開口を跨いで前記プリント基板に接続された第一導電部材と、を備え、前記プリント基板を前記装置に取り付けた状態で、前記装置に接続された第二導電部材は、前記第一導電部材に対して前記プリント基板の端部側で接触していることを特徴とするプリント基板。
（３）画像を形成するための画像形成手段を備え、開口が設けられており前記画像形成手段に電圧を供給するためのプリント基板が取り付けられた画像形成装置において、前記開口を跨いで設けられ、且つ、前記プリント基板に接続されており前記電圧が供給される第一導電部材と、前記プリント基板を前記画像形成装置に固定する固定部材と、前記画像形成手段に一端側が接続されており、他端側が前記第一導電部材と接触する第二導電部材と、を備え、前記プリント基板を前記固定部材によって前記画像形成装置に固定した状態で、前記第一導電部材と前記第二導電部材が接触し、且つ、前記第二導電部材の前記他端側の一部は前記開口を貫通し、且つ、前記第一導電部材と前記第二導電部材の接触位置を超えて延びていることを特徴とする画像形成装置。
【手続補正４】
【補正対象書類名】明細書
【補正対象項目名】００１０
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
開口が設けられたプリント基板が取り付けられた装置において、
前記開口を跨いで設けられ、且つ、前記プリント基板に接続された第一導電部材と、
前記プリント基板を前記装置に固定する固定部材と、
前記装置に一端側が接続されており、他端側が前記第一導電部材と接触する第二導電部材と、
を備え、
前記固定部材によって前記プリント基板が前記装置に固定された状態で、前記第一導電部材と前記第二導電部材が接触し、且つ、前記第二導電部材の前記他端側の一部は前記開口を貫通し、且つ、前記第一導電部材と前記第二導電部材の接触位置を超えて延びていることを特徴とする装置。
【請求項２】
前記第一導電部材は線状部材であり、前記第二導電部材は直線状のアーム部を有し、前記アーム部と前記線状部材が接触することを特徴とする請求項１に記載の装置。
【請求項３】
前記開口は、前記プリント基板の端部に設けられた凹形状の開口であることを特徴とする請求項１又は２に記載の装置。
【請求項４】
前記凹形状の開口は、前記プリント基板の端部側に広がった形状であることを特徴とする請求項３に記載の装置。
【請求項５】
前記プリント基板の一端側に設けられた第一の開口と、前記プリント基板の他端側に設けられた第二の開口を有し、
前記第一の開口に跨いで設けられ、且つ、前記プリント基板に接続された第一導電部材と、前記第二の開口に跨いで設けられ、且つ、前記プリント基板に接続された第一導電部材と、
前記第一の開口に跨いで設けられた前記第一導電部材と接触する第二導電部材と、前記第二の開口に跨いで設けられた前記第一導電部材と接触する第二導電部材と、
を有することを特徴とする請求項１又は２に記載の装置。
【請求項６】
前記第一導電部材は前記プリント基板に実装された回路と接続されていることを特徴とする請求項１乃至５のいずれか１項に記載の装置。
【請求項７】
前記第二導電部材は弾性を有する部材であることを特徴とする請求項１乃至６のいずれか１項に記載の装置。
【請求項８】
装置に取り付けられるプリント基板であって、
前記プリント基板の端部に設けられた開口と、
前記開口を跨いで前記プリント基板に接続された第一導電部材と、を備え、
前記プリント基板を前記装置に取り付けた状態で、前記装置に接続された第二導電部材は、前記第一導電部材に対して前記プリント基板の端部側で接触していることを特徴とするプリント基板。
【請求項９】
前記第二導電部材は直線状の所定の長さのアーム部を有し、前記第一導電部材と前記アーム部が接触している状態で、前記アーム部の長さ方向は、前記プリント基板の面と垂直な方向及び前記プリント基板と平行な方向とは異なることを特徴とする請求項８に記載のプリント基板。
【請求項１０】
前記第二導電部材は、前記第一導電部材に対して、前記プリント基板の面に垂直な方向の第一の圧力と、前記プリント基板の面と平行な方向の第二の圧力と、前記垂直な方向及び前記平行な方向と交差する方向の第三の圧力を付与しており、前記第一の圧力及び前記第二の圧力は前記第三の圧力よりも小さいことを特徴とする請求項８に記載のプリント基板。
【請求項１１】
前記開口は、前記プリント基板の端部に設けられた凹形状の開口であることを特徴とする請求項８乃至１０のいずれか１項に記載のプリント基板。
【請求項１２】
前記凹形状の開口は、前記プリント基板の端部側に広がった形状であることを特徴とする請求項１１に記載のプリント基板。
【請求項１３】
画像を形成するための画像形成手段を備え、開口が設けられており前記画像形成手段に電圧を供給するためのプリント基板が取り付けられた画像形成装置において、
前記開口を跨いで設けられ、且つ、前記プリント基板に接続されており前記電圧が供給される第一導電部材と、
前記プリント基板を前記画像形成装置に固定する固定部材と、
前記画像形成手段に一端側が接続されており、他端側が前記第一導電部材と接触する第二導電部材と、を備え、
前記プリント基板を前記固定部材によって前記画像形成装置に固定した状態で、前記第一導電部材と前記第二導電部材が接触し、且つ、前記第二導電部材の前記他端側の一部は前記開口を貫通し、且つ、前記第一導電部材と前記第二導電部材の接触位置を超えて延びていることを特徴とする画像形成装置。
【請求項１４】
前記第一導電部材は線状部材であり、前記第二導電部材は直線状のアーム部を有し、前記アーム部と前記線状部材が接触することを特徴とする請求項１３に記載の画像形成装置。
【請求項１５】
前記開口は、前記プリント基板の端部に設けられた凹形状の開口であることを特徴とする請求項１３又は１４に記載の画像形成装置。
【請求項１６】
前記凹形状の開口は、前記プリント基板の端部側に広がった形状であることを特徴とする請求項１５に記載の画像形成装置。
【請求項１７】
前記プリント基板の一端側に設けられた第一の開口と、前記プリント基板の他端側に設けられた第二の開口を有し、
前記第一の開口に跨いで設けられ、且つ、前記プリント基板に接続された第一導電部材と、前記第二の開口に跨いで設けられ、且つ、前記プリント基板に接続された第一導電部材と、
前記第一の開口に跨いで設けられた前記第一導電部材と接触する第二導電部材と、前記第二の開口に跨いで設けられた前記第一導電部材と接触する第二導電部材と、
を有することを特徴とする請求項１３又は１４に記載の画像形成装置。
【請求項１８】
前記第一導電部材は前記プリント基板に実装された回路と接続されていることを特徴とする請求項１３乃至１７のいずれか１項に記載の画像形成装置。
【請求項１９】
前記第二導電部材は弾性を有する部材であることを特徴とする請求項１３乃至１８のいずれか１項に記載の画像形成装置。
【請求項２０】
静電潜像が形成される像担持体を有し、
前記プリント基板から前記電圧が供給される前記画像形成手段は、前記像担持体を所定の電位で帯電する帯電手段、前記像担持体の静電潜像をトナーにより現像し、トナー像を形成する現像手段、前記像担持体のトナー像をシートに転写する転写手段、前記転写手段をクリーニングするクリーニング手段、前記像担持体からシートを分離するための分離手段、前記トナーを帯電するためのトナー帯電部材のうちのいずれかを含むことを特徴とする請求項１３乃至１９のいずれか１項に記載の画像形成装置。
【請求項２１】
更にトナーの残量を検知するためのセンサを有し、前記プリント基板から前記センサに前記電圧が供給されることを特徴とする請求項１３乃至１９のいずれか１項に記載の画像形成装置。
【請求項２２】
更に、トナー像を担持する中間転写体と、
前記像担持体に形成されたトナー像を前記中間転写体に一次転写するための一次転写手段と、前記中間転写体に一次転写されたトナー像をシートに二次転写するための二次転写手段とを有し、
前記プリント基板から前記電圧が供給される前記画像形成手段は、前記一次転写手段、又は前記二次転写手段を含むことを特徴とする請求項２０に記載の画像形成装置。